(57)【要約】【課題】第１に、飲食物の食器を、形状，大きさ，数量等の制限なく、自由に加熱や保温でき、第２に、一般的トレイが使用され、又、レイアウトも自由化し、更に、トレイ上に邪魔な突起物が存しないと共に、第３に、飲食物の食器が効果的に加熱や保温され、第４に、加熱や保温を要しない飲食物の食器が、加熱や保温されてしまうこともない、サービスカートを提案する。【解決手段】このサービスカート９は、飲食物Ａ，Ｃの提供サービスに供される。そして、上下多段に収納された棚板１１に、発熱体１２が組み込まれており、棚板１１上に載せられたトレイ１３について、発熱体１２上のエリアに置かれ位置した食器Ｂ内の飲食物Ａのみが、加熱や保温される。又、発熱体１２について、面状ヒーターや遠赤アルマイト処理が採用されており、トレイ１３について、セパレータ２３が採用されている。【選択図】図１
2005296338.tif 000002
【特許請求の範囲】
【請求項１】
飲食物の提供サービスに供されるサービスカートにおいて、多段に収納された棚板に発熱体が組み込まれており、該棚板上のトレイについて、該発熱体のエリアに位置した食器内の飲食物のみが加熱や保温されること、を特徴とするサービスカート。
【請求項２】
請求項１に記載したサービスカートにおいて、該サービスカートは、箱状をなし飲食物が収納されると共に、ドアと車輪を備えており飲食物の提供サービスに供され、
内部に出し入れ可能に上下多段に収納保持された多数枚の該棚板と、該棚板の所定エリアに組み込まれた該発熱体と、該棚板上に載せられた該トレイと、該トレイ上に置かれ飲食物が入れられた複数個の該食器と、を有しており、
該食器は、加熱や保温を要する飲食物が入れられ、該トレイを介し該発熱体のエリア内に位置するものと、加熱や保温を要しない飲食物が入れられ、該トレイを介し該発熱体のエリア外に位置するものと、から成ること、を特徴とするサービスカート。
【請求項３】
請求項２に記載したサービスカートにおいて、該サービスカートは、断熱パネル製よりなり、該ドアが、前面のみに１枚又は前後面に２枚設けられ、両側板の内面に、該棚板を保持するガイドレールが、左右で高さレベルを揃え対向して上下多段に固設されており、該棚板は、該トレイとほぼ同程度の大きさよりなり、該発熱体は、通電により発熱する面状ヒーターを備え方形状をなし、該棚板の一辺側に片寄って組み込まれており、
更に、該発熱体の発熱前に内部を冷却する冷却装置と、該発熱体や該冷却装置を制御するコントロール部と、該発熱体や該冷却装置への給電部と、を備えていること、を特徴とするサービスカート。
【請求項４】
請求項２に記載したサービスカートにおいて、該発熱体は、芯材たる面状ヒーターが、金属製，耐熱樹脂製，又はＦＲＰ製の膜板層でサンドイッチされた構造よりなり、両面発熱可能となっていること、を特徴とするサービスカート。
【請求項５】
請求項４に記載したサービスカートにおいて、該発熱体は、該膜板層として、外表面が遠赤アルマイト処理されたアルミ板が使用されており、遠赤外線を輻射可能となっていること、を特徴とするサービスカート。
【請求項６】
請求項２に記載したサービスカートにおいて、更にセパレータが用いられており、該セパレータは、該トレイについて、加熱や保温を要する飲食物が入れられた該食器のエリアと、加熱や保温を要しない飲食物が入れられた該食器のエリアとを、仕切って断熱区画する縦板体よりなること、を特徴とするサービスカート。
【請求項７】
請求項６に記載したサービスカートにおいて、該セパレータは、該トレイ上に置かれる枠体にて保持されること、を特徴とするサービスカート。
【請求項８】
請求項６に記載したサービスカートにおいて、該セパレータは、上位の該棚板の下面に着脱自在に取付けられて、下位の該トレイ上に向け垂下されていること、を特徴とするサービスカート。
【発明の詳細な説明】
【技術分野】
【０００１】
本発明は、サービスカートに関する。例えば、航空機の機内，社員食堂，病院，療養施設、福祉施設等において、飲食物の提供サービスに供される、サービスカートに関する。
【背景技術】
【０００２】
《図面について》
図６，図７，図８は、この種従来例のサービスカートの説明に供する。そして図６の（１）図は、全体の斜視図、（２）図は、そのトレイ，食器等の１例の斜視図である。
図７は、そのトレイ，食器等を示す。そして、図７の（１）図，（２）図，（３）図は、その１例を示し、（１）図は、トレイの平面図、（２）図は、加熱や保温する食器が置かれた状態の斜視図、（３）図は、各食器が置かれた状態の斜視図である。図７の（４）図，（５）図，（６）図は、他例を示し、（４）図は、トレイの平面図、（５）図は、加熱や保温する食器が置かれた状態の斜視図、（６）図は、各食器が置かれた状態の斜視図である。図８は、全体の側断面図である。
【０００３】
《従来技術》
この種のサービスカート１は、図６の（１）図，図８に示したように、箱状をなし飲食物Ａ，Ｃが収納されると共に、ドア２と車輪３を備えており、手で押して移動，搬送され、もって飲食物Ａ，Ｃの提供サービスに供される。
そして、飲食物Ａ，Ｃを単に運搬するタイプのものに加え、最近は、冷却装置４やヒーター等の発熱体５を搭載して、飲食物Ａ，Ｃを冷却や保冷すると共に、飲食物Ａを加熱や保温するタイプのものも、増加している。
後者のタイプのサービスカート１は、トレイ６が、出し入れ可能な棚として内部に上下多段に収納保持されると共に、図７に示したように各トレイ６に、それぞれ発熱体５が部分的に組み込まれており、もって、このようなトレイ６の発熱体５上に置かれた食器Ｂ内の飲食物Ａを、加熱や保温するようになっている。
なお、図中７はコントロール部であり、Ａは加熱や保温を要する飲食物、Ｂはその食器であり、Ｃは加熱や保温を要しない飲食物、Ｄはその食器であり、Ｅは冷気である。
【０００４】
《先行技術文献情報》
ところで、このような従来例のサービスカート１としては、例えば次の特許文献１，特許文献２に示されたものが挙げられる。
【特許文献１】特開２００１−１６９８３６号公報
【特許文献２】特開２００１−３４６６３５号公報
【発明の開示】
【発明が解決しようとする課題】
【０００５】
ところで、このようなこの種従来例のサービスカート１については、次の問題が指摘されていた。
《第１の問題点について》
第１に、加熱や保温する飲食物Ａや食器Ｂの形状，大きさ，数量等が制限される、という問題が指摘されていた。
これらについて更に詳述すると、この種従来例のサービスカート１において、そのトレイ６は、上述したように、棚板兼用で使用されると共に、ヒーターつまり発熱体５が組み込まれている。そして発熱体５は、図７の（１）図，（４）図に示したように、加熱や保温を要する飲食物Ａが入れられた特定の食器Ｂが置かれる部分に、その食器Ｂの底面とほぼ同形状，同面積で、１個，２個等の単数個又は少数個、組み込まれていた。
そこで、図７の（２）図，（５）図に示したように、このような発熱体５により、その上に置かれる食器Ｂの形状，大きさ，数量等が制限されてしまい、結局、加熱や保温を要する飲食物Ａの形状，大きさ，数量等が制限されていた。
【０００６】
すなわち、加熱や保温を要する飲食物Ａについて、例えば数的に、御飯と味噌汁は加熱できるが、煮付け，照焼，茶碗蒸し等は加熱できないとか、パンとコーヒーは加熱できるが、スープ，グラタン，ムニエル等は加熱できない、という問題があった。
又、例えば形状，大きさ的に、めん類，丼物，パスタ，ステーキ等は、スペースを取り加熱できない、という問題もあった。更に、例え加熱できたとしても、その形状，大きさが小さく規制される、という問題もあった。例えば、ステーキ，すき焼きを加熱する場合、必然的に小さなボリュームとなっていた。
このように、この種従来例のサービスカート１では、トレイ６に組み込まれた発熱体５の形状，大きさ，数量により、加熱，保温を要する飲食物Ａや食器Ｂの形状が限定され、大きさも一定以下に小さく規制され、数量も限られる等々、自由度が大きく制限される、という問題が指摘されていた。
【０００７】
《第２の問題点について》
第２に、一般的なトレイが使用できず、又、トレイ６上で飲食物Ａ，Ｃのレイアウトが制限され、更に、発熱体５やその周囲のストッパ８が邪魔になる、等々の問題も指摘されていた。
これらについて更に詳述すると、この種のサービスカート１では、まず、図７の（１）図，（４）図に示したように、発熱体５が組み込まれた特殊な専用トレイ６を使用しなければならず、一般的なトレイは使用できず、汎用性やコスト面に問題があった。
又、このトレイ６上では、発熱体５の組み込み位置にて、図７の（２）図，（３）図，（５）図，（６）図等に示したように、各飲食物Ａ，Ｃのレイアウトが制限されていた。例えば、発熱体５が左側前後に２個組み込まれ、それぞれに、加熱や保温を要する飲食物Ａたる御飯と味噌汁の食器Ｂが置かれた場合、御飯と味噌汁の位置関係が固定化すると共に、残りの右側のスペースに加熱や保温を要しない飲食物Ｃの食器Ｄが必然的に置かれる等、トレイ６上の配置が制限され、レイアウトが自由でなかった。例えば、御飯と味噌汁を好きな位置に置きずらく、人により使い勝手が悪くなることもあった。
【０００８】
更に発熱体５は、通常、図７の各図に示したように、ヒーターを内蔵したパッド部が、周囲のトレイ６面より段差を介し高く位置すると共に、周囲にストッパ８がリブ状に立設されており、もってストッパ８が、発熱体５上に置かれた飲食物Ａの食器Ｂが発熱体５上からずれないように、保持していた。
しかしながら、このように高く位置する発熱体５やストッパ８等の突起物が、飲食物Ａ，Ｃの飲食に際し、邪魔になることが多々あった。特に、この種のサービスカート１は、病院，療養施設，福祉施設等で使用されることも多く、病人，高齢者，年少者向けの使用に不安がある、との指摘があった。
【０００９】
《本発明について》
本発明のサービスカートは、このような実情に鑑み、上記従来例の課題を解決すべくなされたものである。
そして、この種のサービスカートでは初めて、上下多段に棚板を収納してトレイを載せると共に、棚板に発熱体を組み込んで所定エリア全体を加熱するようにし、もってトレイ上で、加熱や保温を要する飲食物の食器をこのエリア内に置くこと、を特徴とする。
【００１０】
そこで本発明は、第１に、飲食物の食器を、形状，大きさ，数量等の制限なく自由に加熱や保温でき、第２に、一般的トレイが使用され、又、レイアウトも自由化し、更に、トレイ上に邪魔な突起物が存しない、サービスカートを提案すること、を目的とする。
更に、発熱体に面状ヒーターや遠赤アルマイト処理を採用したことにより、第３に、飲食物の食器が効果的に加熱や保温されるようになる、サービスカートを提案すること、を目的とする。
又、トレイについて、セパレータを採用したことにより、第４に、加熱や保温を要しない飲食物の食器が、加熱や保温されてしまうこともない、サービスカートを提案すること、を目的とする。
【課題を解決するための手段】
【００１１】
《各請求項について》
このような課題を解決する本発明の技術的手段は、次のとおりである。まず、請求項１については次のとおり。
請求項１のサービスカートは、飲食物の提供サービスに供される。そして、多段に収納された棚板に発熱体が組み込まれており、該棚板上のトレイについて、該発熱体のエリアに位置した食器内の飲食物のみが加熱や保温されること、を特徴とする。
請求項２については次のとおり。請求項２のサービスカートは、請求項１において、箱状をなし飲食物が収納されると共に、ドアと車輪を備えており、飲食物の提供サービスに供される。
そして、内部に出し入れ可能に上下多段に収納保持された多数枚の該棚板と、該棚板の所定エリアに組み込まれた該発熱体と、該棚板上に載せられた該トレイと、該トレイ上に置かれ飲食物が入れられた複数個の該食器と、を有している。
そして該食器は、加熱や保温を要する飲食物が入れられ、該トレイを介し該発熱体のエリア内に位置するものと、加熱や保温を要しない飲食物が入れられ、該トレイを介し該発熱体上のエリア外に位置するものと、から成ること、を特徴とする。
【００１２】
請求項３については次のとおり。請求項３のサービスカートは、請求項２において、断熱パネル製よりなり、該ドアが、前面のみに１枚又は前後面に２枚設けられ、両側板の内面に、該棚板を保持するガイドレールが、左右で高さレベルを揃え対向して上下多段に固設されている。該棚板は、該トレイとほぼ同程度の大きさよりなる。該発熱体は、通電により発熱する面状ヒーターを備え方形状をなし、該棚板の一辺側に片寄って組み込まれている。
更に、該発熱体の発熱前に内部を冷却する冷却装置と、該発熱体や該冷却装置を制御するコントロール部と、該発熱体や該冷却装置への給電部と、を備えていること、を特徴とする。
請求項４については次のとおり。請求項４のサービスカートは、請求項２において、該発熱体は、芯材たる面状ヒーターが、金属製，耐熱樹脂製，又はＦＲＰ製の膜板層でサンドイッチされた構造よりなり、両面発熱可能となっていること、を特徴とする。
請求項５については次のとおり。請求項５のサービスカートは、請求項４において、該発熱体は、該膜板層として、外表面が遠赤アルマイト処理されたアルミ板が使用されており、遠赤外線を輻射可能となっていること、を特徴とする。
【００１３】
請求項６については次のとおり。請求項６のサービスカートは、請求項２において、更にセパレータが用いられている。そして該セパレータは、該トレイについて、加熱や保温を要する飲食物が入れられた該食器のエリアと、加熱や保温を要しない飲食物が入れられた該食器のエリアとを、仕切って断熱区画する縦板体よりなること、を特徴とする。
請求項７については次のとおり。請求項７のサービスカートは、請求項６において、該セパレータは、該トレイ上に置かれる枠体にて保持されること、を特徴とする。
請求項８については次のとおり。請求項８のサービスカートは、請求項６において、該セパレータは、上位の該棚板の下面に着脱自在に取付けられて、下位の該トレイ上に向け垂下されていること、を特徴とする。
【００１４】
《作用について》
本発明のサービスカートは、このようになっているので、次のようになる。
（１）まず、飲食物が入れられた複数個の食器が、トレイ上に置かれる。その際、加熱や保温を要する飲食物の食器は、事後にサービスカートに収納された際に発熱体上のエリアに位置するように、加熱や保温を要しない飲食物の食器は、発熱体上を除くエリアに位置するように置かれる。
（２）次に、飲食物の食器が置かれた各トレイが、サービスカートに収納される。サービスカートは、断熱パネル製の箱状をなし、ドアと車輪を備えており、両側板内面にガイドレールが対向して上下多段に固設され、もって多数枚の棚板が収納保持されている。
（３）そして各トレイは、各棚板上に載せられる。棚板には、一辺側に片寄って、所定エリアに発熱体が組み込まれており、発熱体は、面状ヒーターを備え方形状をなす。そして、トレイ上の加熱や保温を要する飲食物の食器は、棚板の発熱体上のエリアに位置し、加熱や保温を要しない飲食物の食器は、棚板の発熱体上を除くエリアに位置する。
（４）それから、サービスカートは移動，搬送，保管されるが、その際、通電制御される冷却装置にて内部が冷却される。
（５）そして事後、サービスカートは、発熱体が通電制御されて発熱し、発熱体上のエリアの食器内の飲食物が、加熱や保温される。
（６）それから、飲食物の食器が置かれたトレイは、サービスカートから取り出されて、飲食物の提供サービスに供される。
【００１５】
（７）さてそこで、本発明のサービスカートによると、次のようになる。
第１に、棚板に発熱体が組み込まれており、発熱体上のエリアを広く全体的に加熱し、もって、トレイ上の加熱や保温を要する飲食物の食器が、そのエリア内に位置する方式よりなる。
そこで、加熱や保温を要する飲食物そして食器は、サービスカートに収納された際そのエリア内に収まる限り、形状，大きさ，数量等が制限されず、色々な形や大きさのものが必要な数だけ、加熱や保温可能となる。
第２に、特殊な専用トレイではなく、一般的なトレイが使用される。又、飲食物の食器を、トレイ上のそれぞれのエリア内で、レイアウト制限なく自由に配置できるようになる。更に、トレイ上に突起物がないので、病人，高齢者，年少者等の飲食にも適している。
【００１６】
第３に、発熱体は、面状ヒーターが膜板層でサンドイッチされた構造よりなり、両面発熱される。膜板層としては、例えば、外表面が遠赤アルマイト処理されたアルミ板が使用され、遠赤外線を輻射可能となる。
そして、各棚板のこのような発熱体間に、加熱や保温を要する飲食物の食器が配されるので、上下両方向からの熱伝導，伝達，対流によって、飲食物の食器は、短時間で効果的に加熱や保温され、更に、遠赤外線の照射によって、より効果的に芯から加熱や保温される。
第４に、セパレータが併用されており、トレイ上の加熱や保温を要する飲食物の食器のエリアと、加熱や保温を要しない飲食物の食器のエリアとを、断熱区画している。
そこで、発熱体や加熱や保温を要する飲食物の食器のエリアからの熱、特に対流が遮断され、もって、加熱や保温を要しない飲食物の食器の加熱や保温が、防止される。
【発明の効果】
【００１７】
《本発明の特徴》
本発明のサービスカートは、このように、上下多段に棚板を収納してトレイを載せると共に、棚板に発熱体を組み込んで所定エリア全体を加熱するようにし、もってトレイ上で、加熱や保温を要する飲食物の食器をこのエリア内に置くこと、を特徴とする。
そこで本発明は、次の効果を発揮する。
【００１８】
《第１の効果》
第１に、飲食物の食器を、形状，大きさ，数量等の制限なく、自由に加熱や保温できるようになる。
すなわち、本発明のサービスカートでは、棚板の発熱体のエリア内に、トレイ上の加熱や保温を要する飲食物の食器を位置させる。そこで、加熱や保温を要する飲食物そして食器が、前述したこの種従来例のように、特定の形状，大きさ，数量等に制限されなくなり、自由度が大幅に向上する。
【００１９】
《第２の効果》
第２に、一般的トレイが使用され、又、レイアウトの自由化し、更に、トレイ上に邪魔な突起物が存しない。
すなわち、本発明のサービスカートでは、まず、前述したこの種従来例のように、発熱体が組み込まれた特殊な専用トレイではなく、一般的なトレイが使用され、汎用性，コスト面に優れている。
又、棚板の発熱体のエリア内において加熱や保温を要する飲食物の食器を、又、発熱体のエリア外において加熱や保温を要しない飲食物の食器を、それぞれ、トレイ上でレイアウト制限なく自由に配置することができる。前述したこの種従来例のように、飲食物の食器が好きな位置に置けず、使い勝手が悪くなるようなことはない。
更に、前述したこの種従来例のように、トレイ上に発熱体やストッパ等の突起物が存する訳ではなく、病院，療養施設，福祉施設等での使用にも適している。
【００２０】
《第３の効果》
第３に、飲食物の食器が、効果的に加熱や保温される。すなわち、本発明のサービスカートでは、発熱体について、面状ヒーター更には遠赤アルマイト処理を採用してなる。そこで、加熱や保温対象の食器内の飲食物が、上下からの熱の伝導，伝達，対流，更には輻射によって、短時間のうちに芯から加熱や保温されるようになる。
【００２１】
《第４の効果》
第４に、加熱や保温を要しない飲食物の食器は、加熱防止され保温防止される。すなわち、本発明のサービスカートでは、トレイについて、加熱や保温を要する飲食物の食器のエリアと、加熱や保温を要しない飲食物の食器のエリアとを、区画断熱するセパレータを採用してなる。そこで、加熱や保温を要しない飲食物の食器が、加熱や保温されてしまうことは、防止される。
このように、この種従来例に存した課題がすべて解決される等、本発明の発揮する効果は、顕著にして大なるものがある。
【発明を実施するための最良の形態】
【００２２】
《図面について》
以下、本発明のサービスカートを、図面に示した発明を実施するための最良の形態に基づいて、詳細に説明する。図１，図２，図３，図４，図５等は、本発明を実施するための最良の形態の説明に供する。
そして図１は、全体の斜視図であり、図２は、要部の正断面説明図である。図３は、そのトレイ，食器，セパレータ等を示し、（１）図は、１例の斜視図、（２）図は、他例の平面図である。
図４の（１）図は、棚板の斜視図、（２）図は、トレイの斜視図である。図５は、セパレータを示し、（１）図は、第１例の斜視図、（２）図は、第２例の斜視図、（３）図は、第３例の斜視図、（４）図は、第４例の正断面図である。
【００２３】
《サービスカート９について》
まず、図１を参照しつつ、サービスカート９の概略を説明する。このサービスカート９は、加熱保温タイプよりなり、箱状をなし飲食物Ａ，Ｃが収納されると共に、ドア２と車輪３を備えており、手で押して移動，搬送され、もって飲食物Ａ，Ｃの提供サービスに供される。ドア２は、前面のみに１枚、又は前後面に２枚設けられている。
そして更に、ガイドレール１０，棚板１１，発熱体１２，トレイ１３，冷却装置４，コントロール部７，給電部１４等を備えている。
【００２４】
このようなサービスカート９について、更に詳述する。このサービスカート９は、例えば航空機の機内，社員食堂，病院，療養施設，福祉施設，その他において、乗客，患者，高齢者，年少者，その他に対し、飲食物Ａ，Ｃの提供サービスを行うために使用される。なお、この提供サービスは、乗務員，看護者，給仕人，その他の人を介し、又はセルフサービスで行われる。
そしてサービスカート９は、天板１５，側板１６，床板１７，ドア２等を備えた筐体よりなり、床板１７の四隅下に、車輪３が付設されている。なお図示例は、前後にドア２を備えたタイプよりなるが、図示例によらず、前面のドア２のみが用いられると共に、背面がリア板で閉鎖されたタイプも考えられる。
天板１５，側板１６，床板１７，ドア２等は、それぞれ、アルミその他の軽金属製の表面間に、芯材として断熱材が介装された断熱パネル製よりなり、これらが、縦横つまり上下，左右，前後等に骨組として配されたアルミその他の軽金属製のコーナー型材に、組み付けられている。
【００２５】
そして、このサービスカート１は、飲食物Ａ，Ｃを単に収納，運搬するだけではなく、発熱体１２や冷却装置４を搭載しており、収納された飲食物Ａ，Ｃを、適宜、冷却や保冷そして加熱や保温する。
代表的パターンとしては、サービスカート９の移動，運搬，保管中は、冷却装置４にて飲食物Ａ，Ｃが冷却や保冷され、事後の飲食物Ａ，Ｃの提供サービスに際し、発熱体１２にて飲食物Ａが予め加熱や保温される。
又、加熱や保温のパターンとしては、単に加熱調理されるのみか、加熱調理されると共に事後保温されるか、予め加熱調理されていたものが保温されるか、予め加熱調理されていたものが更に加熱調理されるか、等々各種のパターンが考えられる。
【００２６】
冷却装置４は、サービスカート９の下部に配設され、例えば、脱着可能にユニット化されたヒートポンプ式よりなり、付設されたファンにて冷気Ｅを循環させて、サービスカート９内部を強制冷却する（図８も参照）。例えば、発熱体１２の発熱前において、内部に収納された飲食物Ａ，Ｃを冷却する。つまり、単に冷却したり、チルド状態に冷却したり、チルド状態とされたものをそのまま冷却保持する。
給電部１４は、外部電源側のコネクタに接続されるコネクタ１８と、内部配線と、内部配線側の接点端子と、冷却装置４側の接点端子と、棚板１１側の接点端子１９（図４の（１）図を参照）と、棚板１１内の発熱体１２への配線、等を備えている。そして電力を、冷却装置４や発熱体１２に供給する。
コントロール部７は、このような冷却装置４や発熱体１２を制御する。すなわちコントロール部７は、天板１５付近に操作パネルを備えると共に、各種の通電パターンを記憶しており、操作パネルの操作により、選択されると共にタイマー制御された通電パターンにて、冷却装置４を駆動制御したり、発熱体１２を発熱制御する。勿論、冷却装置４と発熱体１２とは、経時選択的に駆動，発熱される。
サービスカート９は、概略このようになっている。
【００２７】
《棚板１１について》
次に、図１，図２，図４の（１）図等を参照しつつ、棚板１１について説明する。サービスカート９の内部には、棚板１１が多数枚、出し入れ可能に上下多段に収納保持されている。すなわち、サービスカート９の両側板１６の内面には、棚板１１を保持するガイドレール１０が、左右で高さレベルを揃え対向して上下多段に、上下間隔を存しつつ固設されている。図示例では、棚板１１の両側端を挟持，係止するガイドレール１０が、８段固設されている。
そして、このような左右の各ガイドレール１０間に、それぞれ棚板11が、出し入れ自在な棚として上下多段に、図示例では８枚保持可能とされている。棚板１１は、トレイ１３とほぼ同程度の大きさ・面積・寸法よりなる。つまり、サービスカート９内部の水平面とほぼ同程度の、大きさ・面積・寸法よりなっている。
図示例の棚板11は、正方形や長方形の方形状のフレーム枠に、平板状の発熱体１２が組み込まれた構造よりなる。発熱体１２が組み込まれないスペースは、平板を組み付けて閉鎖してもよいが、図示例では空間Ｓとなっている。空間Ｓの機能は、軽量化と冷気Ｅ循環の促進にある。
又、棚板１１には、接点端子１９が付設されており、図示例の接点端子１９は、棚板１１の後側中央に付設され、サービスカート９側の中間前後仕切板（図示せず）に付設された接点端子に、接続されている。
棚板１１は、このようになっている。
【００２８】
《発熱体１２について》
次に、図１，図２，図４の（１）図等を参照しつつ、発熱体１２について説明する。このサービスカート９では、棚板１１の所定エリアに、発熱体１２が組み込まれている。
この発熱体１２は、通電により発熱する面状ヒーター２０を備え方形状をなし、棚板１１の一辺側に片寄って組み込まれており、芯材たる面状ヒーター２０が、金属製，耐熱樹脂製，又はＦＲＰ製の膜板層２１でサンドイッチされた構造よりなり、両面発熱可能となっている。
図示例の膜板層２１としては、外表面が遠赤アルマイト処理２２されたアルミ板が使用されており、もって、この発熱体１２は、遠赤外線を輻射可能となっている。
【００２９】
このような発熱体１２について、更に詳述する。発熱体１２は、まず、棚板１１の一辺側に片寄って組み込まれており、図示例では左側に片寄って棚板１１に組み込まれており、右側は、前述した空間Ｓとなっている。
そして発熱体１２は、正方形や長方形の方形状をなし、棚板１１面積の例えば１／３程度〜２／３程度のエリアを占めており、図示例では約２／３のエリアで組み込まれ、空間Ｓが約１／３のエリアとなっている。
又、発熱体１２は、１枚又は複数枚の集合体よりなり、図示例では２枚用いられている。そしてコントロール部７にて、一体的又は分割して、通電，発熱すべく制御される。
【００３０】
そして発熱体１２は、面状ヒーター２０が、膜板層２１で上下サンドイッチされた構造よりなり、通電により上下両面にて発熱可能となっている。
面状ヒーター２０としては、例えば、ニクロム線等の電気抵抗発熱線が、平面上で折れ線状に通されたサーモスタット付の抵抗ヒーターが用いられる。膜板層２１は、アルミ薄板，その他の金属薄板，耐熱樹脂薄板，又はＦＲＰ薄板等よりなり、面状ヒーター２０の上下に接合され、もって面状ヒーター２０を被覆している。
図示例の発熱体１２は、膜板層２１として、上下外表面が遠赤アルマイト処理されたアルミ板が用いられており、加熱により熱線たる遠赤外線を大量に輻射可能となっている。遠赤アルマイト処理としては、アルミ板外表面について、シリカその他の物質を含有すべく表面処理する、黒色アルマイト処理が代表的である。
なお図示例では、発熱体１２として上下両面発熱タイプの面状ヒーター２０が用いられているが、本発明はこれに限定されるものではなく、上下いずれか片面発熱タイプのものも使用可能である。
発熱体１２は、このようになっている。
【００３１】
《トレイ１３，食器Ｂ，Ｄ等について》
次に、図１，図２，図３，図４の（２）図等を参照しつつ、トレイ１３，食器Ｂ，Ｄ等について説明する。このサービスカート９では、各棚板１１上にそれぞれトレイ１３が載せられ、トレイ１３上に、飲食物Ａ，Ｃが入れられた食器Ｂ，Ｄが複数個置かれる。
食器Ｂは、加熱や保温を要する飲食物Ａが入れられ、サービスカート９内では、棚板１１上に載せられたトレイ１３を介し、棚板１１の発熱体１２のエリア内に位置する。これに対し食器Ｄは、加熱や保温を要しない飲食物Ｃが入れられ、サービスカート９内では、棚板１１上に載せられたトレイ１３を介し、発熱体１２のエリア外に位置する。
このように、このサービスカート９では、多段に収納された棚板１１に発熱体１２が組み込まれており、棚板１１上に載せられたトレイ１３について、発熱体１２のエリアに位置した食器Ｂ内の飲食物Ａのみが、加熱や保温される。
なお、棚板１１間の上下間隔は、棚板１１上に、飲食物Ａ，Ｃが入れられた食器Ｂ，Ｄが置かれたトレイ１３が載せられた際に、上位の棚板１１との間に極く僅かな隙間が残存する程度に、寸法設定される。
【００３２】
又、トレイ１３は、長方形や正方形をなし、例えば耐熱樹脂製よりなる。食器Ｂ，Ｄは、樹脂製，陶磁器製，金属製，木製，紙製等よりなり、飲食物Ａ，Ｃに見合った形状よりなる。
加熱や保温を要する飲食物Ａとしては、御飯，味噌汁，煮付け，照焼，天ぷら，すき焼，お茶、更には、めん類，丼物、そして、パン，コーヒー，紅茶，スープ，ステーキ，その他の肉料理，魚料理，グラタン，ムニエル，パスタ、等々が考えられる。これに対し、加熱や保温を要しない飲食物Ｃとしては、生野菜，刺身，冷奴，オードブル，サラダ，ケーキ，デザート，果物，ビール，ソフトドリンク、等々が考えられる。
ところで図示例では、トレイ１３と食器Ｂ，Ｄとは別体よりなっているが、本発明はこれに限定されるものではなく、トレイ１３と食器Ｂ，Ｄとを一体化した構成も可能である。すなわち、トレイ１３に食器Ｂ，Ｄを凹凸状に一体形成し、それぞれに飲食物Ａ，Ｃを入れる方式も可能であり、この場合には、例えば事前準備，配膳作業，事後洗浄等、各種の付帯作業が容易化されるという利点がある。
トレイ１３，食器Ｂ，Ｄ等は、このようになっている。
【００３３】
《セパレータ２３について》
次に、図１，図２，図３，図５等を参照しつつ、セパレータ２３について説明する。このサービスカート９では、更に、セパレータ２３が用いられている。
そして、セパレータ２３は縦板体よりなり、トレイ１３について、加熱や保温を要する飲食物Ａが入れられた食器Ｂのエリアと、加熱や保温を要しない飲食物Ｃが入れられた食器Ｄのエリアとを、仕切って断熱区画する。
そしてセパレータ２３は、トレイ１３上に置かれる枠体２４等にて保持されるタイプと、上位の棚板１１の下面に着脱自在に取付けられて、下位のトレイ１３上に向け垂下されるタイプとがある。
【００３４】
このようなセパレータ２３について、更に詳述する。セパレータ２３は、サービスカート９内に収納され棚板１１上に載せられるトレイ１３について、トレイ１３上のエリアを仕切って分断する。
すなわちセパレータ２３は、断熱性に富んだ長板体よりなり、例えば、断熱材が介装されたサンドイッチ構造の樹脂製よりなる。そして、トレイ１３上に縦に配されて、トレイ１３がサービスカート９の棚板１１上に載せられた際、発熱体１２上のエリアと、発熱体１２上以外のエリア図示例では空間Ｓ上のエリアとの境界上に位置し、両エリアを分断する。図示例では、トレイ１３上を左右に分断する。
これにより、飲食物Ａの食器Ｂのエリアと、飲食物Ｃの食器Ｄのエリアとが、断熱区画される。
【００３５】
このようなセパレータ２３としては、まず、図１，図２，図３，図５の（１）図等に示したタイプのものが考えられる。このセパレータ２３は、トレイ１３の周端部上に置かれる枠体２４にて囲まれるように保持され、もってトレイ１３の所定位置に置かれる。
又、図５の（２）図に示したタイプのセパレータ２３は、トレイ１３上のエリア中、発熱体１２上のエリアつまり飲食物Ａの食器Ｂのエリアを囲うように、その周端部上に置かれる枠体２４の一環として、組み付け保持され、もってトレイ１３上の所定位置に置かれる。
更に、図５の（３）図に示したタイプのセパレータ２３は、トレイ１３上のエリア中、発熱体１２上以外のエリアつまり飲食物Ｃの食器Ｄのエリアを囲うように、その周端部上に置かれる枠体２４の一環として、組み付け保持され、もってトレイ１３上の所定位置に置かれる。
【００３６】
これに対し、図５の（４）図に示したタイプのセパレータ２３は、上位の棚板１１の下面に着脱自在に取付け保持されると共に、下位の棚板１１上に載せられるトレイ１３上に向け垂下されている。
なお、セパレータ２３の保持については、これらの図示例以外にも各種のタイプが考えられる。例えば、複数の支持部材をトレイ１３上のエリア境界付近に置き、もってセパレータ２３を、トレイ１３上の所定位置に立設保持させるようにしてもよい。
ところでセパレータ２３は、図５の（４）図に示したタイプを除き、飲食物Ａ，Ｃの食器Ｂ，Ｄが置かれたトレイ１３がサービスカート９に収納される前に、トレイ１３上の所定位置に枠体２４等と共に置かれ、もって事後、トレイ１３と共にサービスカート９に収納されて、トレイ１３を介し棚板１１上に載せられる。
セパレータ２３は、このようになっている。
【００３７】
《作用等》
本発明のサービスカート９は、以上説明したように構成されている。そこで、以下のようになる。
（１）まず、飲食物Ａ，Ｃが入れられた複数個の食器Ｂ，Ｄが、トレイ１３上に載せられ置かれる。その際、トレイ１３上での食器Ｂ，Ｄの配置については、次のとおり（図３の（１）図，（２）図を参照）。
加熱や保温を要する飲食物Ａの食器Ｂは、事後にトレイ１３と共にサービスカート９に収納された際、棚板１１の（例えば左側に片寄って組み込まれた）発熱体１２上のエリアに位置するように、予め（例えば左側に片寄って）トレイ１３上に置かれる。これに対し、加熱や保温を要しない飲食物Ｃの食器Ｄは、事後に棚板１１の発熱体１２上を除くエリアに位置するように、予め（例えば右側に片寄って）トレイ１３上に置かれる。
そして図示例では、このようなトレイ１３上の所定位置に、セパレータ２３がその枠体２４と共に、置かれる。
【００３８】
（２）次に、このように飲食物Ａ，Ｃの食器Ｂ，Ｄやセパレータ２３等が置かれた各トレイ１３が、サービスカート９内部に収納される（図１，図２を参照）。
サービスカート９は、断熱パネル製よりなり、箱状をなし車輪３を備えており、ドア２が、前面のみに１枚又は前後面に２枚設けられている。そして両側板１６の内面に、ガイドレール１０が、左右で高さレベルを揃え対向して上下多段に固設されており、もって多数枚の棚板１１が、ガイドレール１０上に出し入れ可能に、上下多段に収納保持されている。
【００３９】
（３）そして、飲食物Ａ，Ｃの食器Ｂ，Ｄやセパレータ２３等が置かれた各トレイ１３は、サービスカート９に収納保持された各棚板１１上に、それぞれ載せられる。
棚板１１は、トレイ１３とほぼ同程度の大きさよりなり、トレイ１３底面に接すると共に、所定エリア（図示例では約２／３のエリア）に発熱体１２が組み込まれており、発熱体１２は、通電により発熱する面状ヒーター２０を備え方形状をなし、棚板１１の一辺側（例えば左側）に片寄って組み込まれている（図４の（１）図を参照）。
そして、トレイ１３上に置かれた食器Ｂ，Ｄの内、加熱や保温を要する飲食物Ａが入れられた食器Ｂは、トレイ１３を介し棚板１１の発熱体１２上のエリアに位置する。これに対し、加熱や保温を要しない飲食物Ｃが入れられた食器Ｄは、トレイ１３を介し棚板１１の発熱体１２上を除くエリアに位置する（図１，図２を参照）。
【００４０】
（４）それから、サービスカート９は移動，搬送，保管されるが、その際、内部が冷却装置４にて冷却される。冷却装置４は、コントロール部７にて制御され、給電部１４にて通電される（図１を参照）。
（５）そして事後、飲食物Ａ，Ｃの提供サービスに際し、サービスカート９は、予め棚板１１の発熱体１２がコントロール部７にて制御され給電部１４にて通電されて発熱し、棚板１１上に載せられたトレイ１３について、発熱体１２上のエリアに位置した食器Ｂ内の飲食物Ａが、加熱や保温される（図１，図２を参照）。
（６）それからトレイ１３、つまりこのように加熱や保温された飲食物Ａの食器Ｂと、加熱や保温を要しない飲食物Ｃの食器Ｄとが置かれたトレイ１３が、それぞれサービスカート９内の棚板１１上から取り出されて、配膳され、飲食物Ａ，Ｃの提供サービスに供される。
その際、トレイ１３について、セパレータ２３や枠体２４等は除去され、箸，ナイフ，フォーク，スプーン等の用具が載せられる。
【００４１】
（７）さてそこで、本発明のサービスカート９によると、次の第１，第２，第３，第４のようになる。
第１に、このサービスカート９では、棚板１１の所定エリアに発熱体１２を組み込んで、→発熱体１２上の所定エリアを、広く全体的に加熱する。→そして、このように広く全体的に加熱され、温ゾーン化したエリア内に、加熱や保温を要する飲食物Ａの食器Ｂが、トレイ１３上で位置する方式よりなる。
→そこで、加熱や保温を要する飲食物Ａそして食器Ｂは、サービスカート９内に収納されされた際に、この発熱体１２上の所定エリア内に収まる限り、その形状，大きさ，数量等が、いずれも制限されることなく自在となる。
→すなわち、加熱や保温を要する飲食物Ａや食器Ｂについて、その形状が、予め特定の形に限定されたり、その大きさが、一定以下に小さく規制されたり、その数が、１個や２個等に限られたりすることは、サービスカート９の棚板１１上にトレイ１３と共に載せられた際に発熱体１２上の所定エリア内に収まる限り、いずれも解消される。→色々な形の各種大きさの飲食物Ａの食器Ｂが、必要な数だけ加熱や保温可能となる。
→例えば、御飯，味噌汁，煮付け，照焼，茶碗蒸し，お茶等々が、一緒に一度に加熱や保温可能となる。又、パン，コーヒー，スープ，グラタン，ムニエル等々が、一緒に一度に加熱や保温可能となる。更に、めん類，丼物，パスタ，ステーキ，すき焼き等も、そのスペースやボリュームにかかわらず、加熱や保温可能となる。
【００４２】
第２に、このサービスカート９では、発熱体１２付の特殊な専用トレイではなく、一般的な平板状のトレイ１３が使用される。
又、発熱体１２のエリア内であれば、→加熱や保温を要する飲食物Ａの食器Ｂを、トレイ１３上でレイアウト制限なく自由に配置でき、→前後左右の好きな位置に飲食し易くセットできる。同様に、発熱体１２のエリア外であれば、→加熱や保温を要しない飲食物Ｃの食器Ｄを、トレイ１３上でレイアウト制限なく自由に配置でき、→前後左右の好きな位置に飲食し易くセットできるようになる。
更に、トレイ１３上には、置かれた食器Ａ，Ｃや用具以外のものは存せず、→トレイ１３と一体化された突起物や凹凸等が一切ないので、→病人，高齢者，年少者等を対象とした、飲食物Ａ，Ｃの提供サービスにも適している。
【００４３】
第３に、このサービスカート９では、棚板１１に組み込まれた発熱体１２は、芯材たる面状ヒーター２０が、金属製，耐熱樹脂製，又はＦＲＰ製の膜板層２１で、サンドイッチされた構造よりなる。更に膜板層２１としては、例えば、外表面が遠赤アルマイト処理２２されたアルミ板が、使用される。
もって、この発熱体１２は、上下両面発熱され、更に遠赤外線も輻射可能となっている。そして、上下多段に収納された棚板１１のこのような各発熱体１２間に、加熱や保温を要する飲食物Ａの食器Ｂが配される。
→そこで、この食器Ｂ内の飲食物Ａは、主に上下両方向からの熱伝導，伝達，対流によって、更には左右方向からの対流によって、均一かつ短時間の内に効果的に加熱や保温される。→更に、この食器Ｂ内の飲食物Ａは、遠赤外線の照射によって、より効果的に加熱や保温可能、そして内部の芯から加熱や保温される。
【００４４】
なお、棚板１１は、トレイ１３の枚数より、１段多い段数とされる。すなわち、食器Ｂ内の飲食物Ａは、上述したように、そのトレイ１３が載せられた棚板１１（下位の棚板１１）の発熱体１２と、１段上のトレイ１３が載せられた棚板１１（上位の棚板１１）の発熱体１２とにより、上下から加熱や保温される。
そして、最上位の食器Ｂ内の飲食物Ａについては、そのトレイ１３が載せられた棚板１１（下位の棚板１１）の発熱体１２と、最上段のトレイ１３が載せられていない棚板１１（上位の棚板１１）の発熱体１２とによって、上下から加熱や保温される。
そこで、この最上段の棚板１１の１段分だけ、棚板１１の段数がトレイ１３の枚数より多くなる。
【００４５】
第４に、このサービスカート９では、セパレータ２３が併用されている。→すなわち、縦板体よりなるセパレータ２３が、トレイ１３上に置かれる枠体２４にて保持されて、トレイ１３上のエリア間の境界に位置するか、又は、上位の棚板１１の下面に着脱自在に取付けられて、トレイ１３上のエリア間の境界に向け垂下されている。
→そしてセパレータ２３は、サービスカート９内に収納されたトレイ１３上について、加熱や保温を要する飲食物Ａが入れられた食器Ｂのエリアと、加熱や保温を要しない飲食物Ｃが入れられた食器Ｄのエリアとを、断熱区画する。つまり、温ゾーンのエリアと非温ゾーンのエリアとを、仕切って断熱する。
→そこで、隣接する加熱や保温を要する飲食物Ａの食器Ｂのエリアからの熱や、付近の発熱体１２からの熱、特に左右方向からの対流が、→このエリア境界のセパレータ２３にて、遮断される。→従って、温ゾーンのエリアの影響を、非温ゾーンのエリアが受けることは回避され、→加熱や保温を要しない食器Ｄ内の飲食物Ｃが、加熱や保温されてしまうことは、防止される。
【図面の簡単な説明】
【００４６】
【図１】本発明のサービスカートについて、発明を実施するための最良の形態の説明に供し、全体の斜視図である。
【図２】同発明を実施するための最良の形態の説明に供し、要部の正断面説明図である。
【図３】同発明を実施するための最良の形態の説明に供し、トレイ，食器，セパレータ等を示し、（１）図は、１例の斜視図、（２）図は、他例の平面図である。
【図４】同発明を実施するための最良の形態の説明に供し、（１）図は、棚板の斜視図、（２）図は、トレイの斜視図である。
【図５】同発明を実施するための最良の形態の説明に供し、セパレータを示し、（１）図は、第１例の斜視図、（２）図は、第２例の斜視図、（３）図は、第３例の斜視図、（４）図は、第４例の正断面図である。
【図６】この種従来例のサービスカートの説明に供し、（１）図は、全体の斜視図、（２）図は、トレイ，食器等の１例の斜視図である。
【図７】この種従来例のサービスカートの説明に供し、トレイ，食器等を示す。そして（１）図，（２）図，（３）図は、その１例を示し、（１）図は、トレイの平面図、（２）図は、加熱や保温する食器が置かれた状態の斜視図、（３）図は、各食器が置かれた状態の斜視図である。（４）図，（５）図，（６）図は、他例を示し、（４）図は、トレイの平面図、（５）図は、加熱や保温する食器が置かれた状態の斜視図、（６）図は、各食器が置かれた状態の斜視図である
【図８】この種従来例のサービスカートの説明に供し、全体の側断面図である。
【符号の説明】
【００４７】
１  サービスカート（従来例）
２  ドア
３  車輪
４  冷却装置
５  発熱体（従来例）
６  トレイ（従来例）
７  コントロール部
８  ストッパ
９  サービスカート
１０  ガイドレール
１１  棚板
１２  発熱体
１３  トレイ
１４  給電部
１５  天板
１６  側板
１７  床板
１８  コネクタ
１９  接点端子
２０  面状ヒーター
２１  膜板層
２２  遠赤アルマイト処理
２３  セパレータ
２４  枠体
Ａ  飲食物
Ｂ  食器
Ｃ  飲食物
Ｄ  食器
Ｅ  冷気
Ｓ  空間
【図１】
2005296338.tif 000003
【図２】
2005296338.tif 000004
【図３】
2005296338.tif 000005
【図４】
2005296338.tif 000006
【図５】
2005296338.tif 000007
【図６】
2005296338.tif 000008
【図７】
2005296338.tif 000009
【図８】
2005296338.tif 000010